(57)【要約】【課題】表示装置の操作入力手段に対して所定の操作を行ったときに、その作に対する処理、及び無信号警告表示を実行するまでの時間を短縮することで、ユーザの混乱を回避するとともに、装置の品位を向上させる。【解決手段】表示装置の一実施形であるモニターの電源がオンされると（Ｓ１）、モニターはチューナの論理アドレスに対して所定のＣＥＣメッセージを発行する（Ｓ２）。モニターにプレーヤが接続されている場合、プレーヤではこのＣＥＣメッセージを無視する。モニターは、ＣＥＣメッセージに対するＡＣＫが帰ってこなければ、少なくともチューナが接続されていないことを認識する（Ｓ３）。以後、所定の操作入力として、例えばリモコンのボリューム／ミュートキーが操作され、そのリモコン信号を受信した場合は（Ｓ４）、モニターにおいて、音声処理と表示処理を行う（Ｓ５）。【選択図】図３
2010041203.tif 000002
【特許請求の範囲】
【請求項１】
ＨＤＭＩ入力端子を備え、該ＨＤＭＩ入力端子を介して外部機器と接続可能な表示装置であって、
該表示装置は、操作入力手段と、制御手段とを有し、
該制御手段は、前記表示装置の電源の投入に応じて、所定の論理アドレスの機器に対する所定のＣＥＣメッセージを送信し、該ＣＥＣメッセージに応答するＡＣＫを受信したか否かを判断し、該ＡＣＫを受信しない場合には少なくとも前記所定の論理アドレスの機器が接続されていないものと判断して、制御を行うことを特徴とする表示装置。
【請求項２】
請求項１に記載の表示装置において、
前記制御手段は、前記操作入力手段に対して所定の操作入力が行われたときに、該操作入力に応じた制御の対象として、表示装置または前記外部機器のいずれかを判断して制御を行い、前記少なくとも前記所定の論理アドレスの機器が接続されていないものと判断した場合、前記操作入力手段に対する所定の操作入力に対して、前記表示装置を制御対象として制御することを特徴とする表示装置。
【請求項３】
請求項２に記載の表示装置において、
前記所定の操作入力は、少なくとも音量調整を行うための操作入力、音声ミュート設定または解除を行うための操作入力であることを特徴とする表示装置。
【請求項４】
請求項３に記載の表示装置において、
前記所定の操作入力に対する制御は、該操作入力に応じた音量制御、及び、制御した音量を表示する制御であることを特徴とする表示装置。
【請求項５】
請求項１〜４のいずれか１に記載の表示装置において、
前記制御手段は、前記少なくとも所定の論理アドレスの機器が接続されていないものと判断した場合、前記外部機器から前記ＨＤＭＩ入力端子に入力する信号が無信号であるか否かを検出し、無信号である場合に無信号の警告表示を行うよう制御することを特徴とする表示装置。
【発明の詳細な説明】
【技術分野】
【０００１】
本発明は、表示装置、より詳細には、ＨＤＭＩにより外部機器と接続可能に構成される表示装置に関する。
【背景技術】
【０００２】
モニターは、例えばＬＣＤなどを使用した表示部を備えた表示装置であり、チューナやプレーヤなどの映像源となる機器を外部接続して、その外部機器から入力する映像を表示できるようにしている。外部機器としては、例えば上記のようなチューナやプレーヤ（ＢＤ，ＤＶＤ等）、あるいはＰＣやゲーム機器などが接続できる。チューナは、セットトップボックス（ＳＴＢ）として構成されたものであってもよく、以下では総称的にチューナとして説明する。
【０００３】
モニターにチューナを接続することで、一体型のテレビ装置と同様の機能を得ることができる。また、チューナには、プレーヤやＰＣ、ゲーム機等を接続することにより、これらの装置から出力される映像を、チューナを介してモニターに出力させる構成をとることもできる。例えば、モニターにチューナを接続し、そのチューナに対してＢＤプレーヤやＤＶＤプレーヤを接続して使用する形態をとることができる。
【０００４】
上記のようなモニターの一例において、モニターを操作するためのリモコン等の操作入力手段を操作することによって、モニターに接続されたチューナを操作できるようにしたものがある。
ここでは、例えばモニターにＨＤＭＩ（High-Definition Multimedia Interface）入力端子を設け、チューナとの間でＨＤＭＩ接続を可能とし、ＨＤＭＩで規定されるＣＥＣ（Consumer. Electronics Control）メッセージを使用して、モニター側からチューナの制御を行うようにしている。
【０００５】
例えば、モニターに付属するリモコンには、ボリュームキー及びミュートキーが設けられ、これらのいずれかをユーザが操作することにより、モニターを含むシステムのボリューム調整を行うことができるようになっている。以下ではこれらをボリューム／ミュートキーとして説明する。
【０００６】
上記の例では、ボリューム／ミュートキーは、チューナが接続されていない状態では、モニターに対して有効に働き、一方、チューナが接続されている状態では、そのチューナに対して有効に働くようになっている。この場合、例えばチューナが接続されている状態で、ユーザがリモコンのボリューム／ミュートキーを操作すると、モニターの受光部でリモコンから送信されたリモコン信号を受光し、そのリモコン信号をデコードしたキー情報をＣＥＣメッセージによってモニター側からチューナ側に送信する。チューナでは、送信されたキー情報に従って音量制御を行い、音量を示すＯＳＤ（On Screen Display）を生成してモニターに送信する。モニターでは、音量を示すＯＳＤを画面表示し、音量が調整されたことをユーザに知らせる。
【０００７】
このときモニターでは、例えばモニターの電源がオンになったときに、ＣＥＣメッセージを用いたチューナの認証処理を行い、モニターから制御可能なチューナであることが認証されることでチューナの接続を認識する。そしてその後、リモコンのボリューム／ミュートキーが操作されたときには、チューナに対して上記のようなＣＥＣメッセージによるキー情報を送信して、チューナ側で音量制御を実行させる。
また、上記の認証が失敗した場合には、制御可能なチューナが接続されていないものと判断し、その後のボリューム／ミュートキーが操作されたときには、モニター側でそのキー操作に応じた音量制御を行うようにする。
【０００８】
図６は、従来の表示装置でチューナを認証するときの制御の一例を説明するための図である。ここでは表示装置の一例であるモニターと、ＨＤＭＩによりモニターに接続されるチューナとの間の制御例を示している。
まず、モニターの電源がオン（Power On）されると（Ｓ１０１）、モニターではＣＥＣによる認証開始メッセージを発行し、チューナに送信する（Ｓ１０２）。これを受けてチューナでは、自身の起動処理を開始し（Ｓ１０３）、これに伴って認証開始メッセージ応答をモニターに送信する（Ｓ１０４）。
【０００９】
認証開始メッセージ応答を受け取ったモニターでは、チューナが接続されていることを認識する（Ｓ１０５）。そしてこの後、リモコンのボリューム／ミュート（Volume／Mute）キーがユーザにより操作され、リモコン信号を受信すると（Ｓ１０６）、ＣＥＣメッセージによりボリューム／ミュートキーのキー信号をチューナに送信する（Ｓ１０７）。チューナでは、このＣＥＣメッセージに従って、音声処理と表示処理を行う（Ｓ１０８）。音声処理は、音量調整処理またはミュート処理であり、表示処理は、モニターで音量表示を行うためのＯＳＤ生成処理である。
【００１０】
上記のような表示部とチューナ部を分離して使用するシステムに関し、例えば特許文献１には、表示パネル部とチューナ部（ＳＴＢ）とを分離可能に構成し、表示パネル部には液晶とそれ以外のＦＰＤを使用可能とした表示システムが開示されている。この表示システムでは、表示パネル部とチューナ部とをＲＳ２３２Ｃを用いた通信ケーブルにて接続し、表示パネルから識別情報（ＩＤ情報）をチューナ部に送信し、チューナ部は識別情報に基づき表示パネル側を認識して、通信ケーブルを介して制御するようにしている。
【特許文献１】特許第４０１６９１５号公報
【発明の開示】
【発明が解決しようとする課題】
【００１１】
上記のようなシステムにおいて、モニターがチューナを認証するときに、その認証に時間がかかった場合、ユーザに混乱を生じさせることがある。例えば、モニターの電源をオンにして、すぐにボリューム／ミュートキーを操作したような場合、認証が確立するまでは、その操作はモニターに対して有効となる。そしてその後、チューナの認証が確立すると、今度は、ボリューム／ミュートキーの操作は、チューナに対して有効となり、ユーザが混乱するとともに、システムの品位も悪いといえる。
【００１２】
このような問題を解決するために、従来では、例えば認証が確立するまでのタイムアウトを設け、一定期間の間に認証が確立しかった場合には、モニターで音量制御を行うようにしている。
図７は、従来の表示装置の制御の他の例を説明するための図である。ここでは、モニターに対して、チューナではなく他の機器（例えばプレーヤ）がＨＤＭＩにより接続されているものとする。
まず、モニターの電源がオン（Power On）されると（Ｓ１１１）、モニターではＣＥＣによる認証開始メッセージを発行し、ＨＤＭＩケーブルを介して送信する（Ｓ１１２）。この場合のＣＥＣメッセージは、チューナを規定する論理アドレスに対して送信される。従って論理アドレスが異なるプレーヤでは、モニターで発行されたＣＥＣメッセージは無視され、プレーヤからモニターに対しては何ら応答が帰ってこない。
【００１３】
このときモニターでは、タイムアウト期間（例えば１５ｓｅｃ）を設け、認証開始メッセージからの時間をカウントする。そして応答がなくタイムアウトになった時点でチューナが未接続であることを認識する（Ｓ１１３）。従ってタイムアウトまでの期間中にボリューム／ミュートキーが操作されても、モニターでの音声処理及び表示処理は行わない。
そして、チューナの未接続の認識後、リモコンのボリューム／ミュート（Volume／Mute）キーがユーザにより操作され、リモコン信号を受信すると（Ｓ１１４）、モニターでは、音声処理と表示処理を行う（Ｓ１１５）。音声処理は、音量調整処理またはミュート処理であり、表示処理は、モニターで音量表示を行うためのＯＳＤ生成処理である。
【００１４】
図８は、従来の表示装置の制御の更に他の例を説明するための図である。ここでは、図７の場合と同様に、モニターに対してチューナではなく他の機器（例えばプレーヤ）がＨＤＭＩにより接続されているときに、モニターでタイムアウトのカウント中にプレーヤから音声信号が入力した場合の制御例を説明する。
図７の例と同様に、モニターの電源がオン（Power On）されると（Ｓ１２１）、モニターではＣＥＣによる認証開始メッセージを発行し、ＨＤＭＩケーブルを介して送信する（Ｓ１２２）。これに対してプレーヤでは、モニターで発行されたＣＥＣメッセージを無視し、プレーヤからモニターに対しては何ら応答が帰ってこない。
【００１５】
モニターでは、タイムアウト期間（例えば１５ｓｅｃ）を設け、認証開始メッセージ発行からの時間をカウントし、そしてタイムアウトになった時点でチューナが未接続であることを認識するが、このときに、タイムアウトの前にプレーヤから音声信号が入力したものとする（Ｓ１２３）。プレーヤからの音声信号の入力は、例えばプレーヤが直接操作され動作することにより発生する。この場合には、モニターでは、プレーヤからの音声信号の入力により、タイムアウト前であってもチューナが未接続であることを認識する。チューナであれば、ＣＥＣに対する応答メッセージが返信されるはずであるが、その応答メッセージがなく、機器が接続されていることを示す音声信号が入力した場合には、チューナではない機器が接続されていることになる。
【００１６】
そしてその後、リモコンのボリューム／ミュート（Volume／Mute）キーがユーザにより操作され、リモコン信号を受信すると（Ｓ１２５）、モニターでは、音声処理と表示処理を行う（Ｓ１２６）。音声処理は、音量調整処理またはミュート処理であり、表示処理は、モニターで音量表示を行うためのＯＳＤ生成処理である。
【００１７】
上記のように、モニターで発行したＣＥＣによる認証開始メッセージに対しては、チューナが接続されていない場合にはモニターに応答が帰ってこない。ここでモニターにてすぐにチューナが未接続であると判断してしまうと、例えば、応答メッセージが遅れてモニターに入ってきた場合、ボリューム／ミュートキー操作は、一旦、モニターに対して効いた後、チューナに対して効くことになり、ユーザが混乱するとともにシステムの品位が悪くなる。これに対して上記のようなタイムアウトを設けることで、モニターの電源がオンになってからタイムアウトまでは、ボリューム／ミュートキーによるモニターの動作を行わないようにする。
【００１８】
図９は、従来の表示装置の制御の更に他の例を説明するための図である。ここでは、モニターのＨＤＭＩ入力端子に対して、機器がなにも接続されていないときの制御例を説明する。
上記各例の場合と同様に、モニターの電源がオン（Power On）されると（Ｓ１３１）、モニターではＣＥＣによる認証開始メッセージを発行し、ＨＤＭＩ入力端子に接続するＣＥＣラインから送信する動作を行う（Ｓ１３２）。ここでＨＤＭＩ入力端子には、何も接続されていない（もしくはモニターのＨＤＭＩ入力端子対しに接続されたＨＤＭＩケーブルの他端にはなんの機器も接続されていない）ため、モニターで発行されたＣＥＣメッセージは無視され、モニターに対しては何ら応答が帰ってこない。
【００１９】
そしてモニターでは、認証開始のメッセージ発行からの時間をカウントし、そしてタイムアウトになった時点でチューナが未接続であることを認識するが、このときに、タイムアウトの前に無信号検出を行って、無信号であることが確認されたとしても、タイムアウトまでの期間中には警告表示を行わない（ステップＳ１３３）。
モニターによる無信号検出とは、モニターのＨＤＭＩ入力端子に入力する映像信号が検出できなかった場合を指し、この場合、通常はモニターのビデオプロセッサで無信号であることを表示するＯＳＤを生成し、モニターの画面に表示させる。
【００２０】
本例では、モニターにおける無信号検出処理により、モニターに映像信号が入力されていないことが検出された場合でも、タイムアウトまではその警告表示を行わない。そして、タイムアウトになった時点でチューナが未接続であることを認識すると（Ｓ１３４）、モニターでは、無信号警告表示を行う（Ｓ１３５）。
【００２１】
上記の例では、モニターのＨＤＭＩ入力端子に機器が接続されていない状態を示したが、例えば、モニターにチューナが接続されていて、認証開始メッセージに対するチューナからの応答が遅れて入力した場合に品位が悪くなる。
例えば、モニターの電源がオンになった後、接続機器からの映像信号が無信号であることを検出した場合、モニターですぐに警告表示を行ってしまうと、認証開始メッセージに対するチューナからの応答が遅れて入力すると、モニターで一旦警告表示が行われた後に、チューナの認証が確立して接続が認識され、チューナからの映像が表示されることになり、品位が悪い。
【００２２】
これに対して、例えばモニターにて、起動完了メッセージをチューナから受信するまでは警告表示を行わないようにすることも考えられるが、そうすると、モニターにチューナが接続されていない場合には、モニターでは起動完了メッセージをいつまでたっても受信することができないので、モニターでの無信号検出による無信号警告を表示することができなくなってしまう。
このため、上記のように、モニターでは、認証開始メッセージの発行から所定のタイムアウト期間（１５秒）を設け、この期間にチューナから返答がない場合には、チューナが未接続であると判断し、タイムアウト期間が経過してから警告表示を行うようにしている。
【００２３】
上述のように、従来のモニターの制御例では、モニターの電源がオンになって認証開始メッセージを発行した後、所定のタイムアウト期間を設け、そのタイムアウト期間内に認証が完了しなかった場合に、モニターにて音声処理や表示処理を行っている。しかしながらこの処理では、チューナが接続されていない場合には、タイムアウトのカウントが完了するまでボリューム／ミュートキーの操作が効かないため、ユーザは、リモコンのキー操作ができず、故障しているものと誤解を招く可能性がある。
また、無信号時の警告表示も同様で、従来では、認証確立に時間がかかる場合を考慮して、起動時に無信号と認識してもすぐに警告を出さず、一定期間経過してから警告表示を行うようにしているため、無信号時の警告が表示されるのが遅く、品位が悪いという問題がある。
【００２４】
本発明は、上述のごとき実情に鑑みてなされたもので、表示装置の操作入力手段に対して所定の操作を行ったときに、その操作に対する処理、及び無信号警告表示を実行するまでの時間を短縮することで、ユーザの混乱を回避するとともに、装置の品位を向上させるようにした表示装置を提供することを目的とするものである。
【課題を解決するための手段】
【００２５】
上記課題を解決するために、第１の技術手段は、ＨＤＭＩ入力端子を備え、ＨＤＭＩ入力端子を介して外部機器と接続可能な表示装置であって、表示装置が、操作入力手段と、制御手段とを有し、制御手段は、表示装置の電源の投入に応じて、所定の論理アドレスの機器に対する所定のＣＥＣメッセージを送信し、ＣＥＣメッセージに応答するＡＣＫを受信したか否かを判断し、ＡＣＫを受信しない場合には少なくとも所定の論理アドレスの機器が接続されていないものと判断して、制御を行うことを特徴としたものである。
【００２６】
第２の技術手段は、第１の技術手段において、制御手段が、操作入力手段に対して所定の操作入力が行われたときに、操作入力に応じた制御の対象として、表示装置または外部機器のいずれかを判断して制御を行い、少なくとも所定の論理アドレスの機器が接続されていないものと判断した場合、操作入力手段に対する所定の操作入力に対して、表示装置を制御対象として制御することを特徴としたものである。
【００２７】
第３の技術手段は、第２の技術手段において、所定の操作入力が、少なくとも音量調整を行うための操作入力、音声ミュートの設定または解除を行うための操作入力であることを特徴としたものである。
【００２８】
第４の技術手段は、第３の技術手段において、所定の操作入力に対する制御が、操作入力に応じた音量制御、及び、制御した音量を表示する制御であることを特徴としたものである。
【００２９】
第５の技術手段は、第１〜４のいずれかの技術手段において、制御手段が、少なくとも所定の論理アドレスの機器が接続されていないものと判断した場合、外部機器からＨＤＭＩ入力端子に入力する信号が無信号であるか否かを検出し、無信号である場合に無信号の警告表示を行うよう制御することを特徴としたものである。
【発明の効果】
【００３０】
本発明によれば、上述のごとき実情に鑑みてなされたもので、表示装置の操作入力手段に対して所定の操作を行ったときに、その作に対する処理、及び無信号警告表示を実行するまでの時間を短縮することで、ユーザの混乱を回避するとともに、装置の品位を向上させるようにした表示装置を提供することができる。
【発明を実施するための最良の形態】
【００３１】
以下に、添付された図面を参照しながら、本発明による表示装置の実施形態を具体的に説明する。
本発明に係る表示装置は、例えばＬＣＤなどを使用した表示部を備えた表示装置であり、チューナやプレーヤなどの映像源となる機器を外部接続して、その外部機器から入力する映像を表示できるようにしたモニターとして実施されるものである。外部機器としては、チューナやプレーヤ（ＢＤ，ＤＶＤ等）、あるいはＰＣやゲーム機器などが接続できる。
【００３２】
図１は、本発明による表示装置を使用したシステム構成例を説明するため図で、図１（Ａ）の構成例では、本発明の表示装置の一実施形態であるモニター１は、ＨＤＭＩケーブル６によってチューナ２が接続されている。チューナ２は、セットトップボックスとして構成されたものであってもよい。
チューナ２は、アンテナ５で受信された放送信号の選局が可能である。そしてチューナ２は、さらにプレーヤ等の外部機器３，４が接続可能である。プレーヤ等の外部機器３，４から出力される映像信号は、チューナ２を介してＨＤＭＩケーブルによりモニターに出力され、モニター１にて表示される。
【００３３】
一方、図１（Ｂ）の構成例では、モニター１は、ＨＤＭＩケーブル６によってプレーヤ等の外部機器３に接続される。ここでは、チューナ２を介することなく、外部機器３を直接にモニター１に接続している。外部機器がＨＤＭＩに対応していれば、このようなシステム構成も可能である。
【００３４】
図２は、表示装置の一実施形態であるモニターと、そのモニターに接続されるチューナの要部の機能を説明するためのブロック図である。
モニター１とチューナ２とは、ＨＤＭＩケーブル６によって接続されている。ＨＤＭＩケーブル６は、デジタル信号である映像・音声信号を差動方式で伝送するためのＴＭＤＳラインと、機器間で共通の制御信号（ＣＥＣメッセージ）を伝送する双方向バスであるＣＥＣラインとを含んでいる。この他、ＨＤＭＩケーブルには、ＥＤＩＤ（Extended Display Identification Data）の送信やＨＤＣＰ（High-bandwidth Digital Content Protection）認証等に利用されるＤＤＣ（Display Data Channel）ラインなどが含まれる。
【００３５】
チューナ２は、外部入力Ｉ／Ｆ２１、ビデオプロセッサ／デコーダ２２、ＨＤＭＩトランスミッタ２３、ＣＰＵ２４、及びＨＤＭＩ Ｉ／Ｆ２６を備えている。またＣＰＵ２４とＨＤＭＩ Ｉ／Ｆ２６との間にはＣＥＣライン２５が接続される。ＣＰＵ２４は各部を制御している。ＨＤＭＩ Ｉ／Ｆ２６は、ＨＤＭＩ入力端子として実現される。
【００３６】
ＤＶＤプレーヤやＢＤプレーヤなどの外部機器からの入力、及びアンテナからの入力は、外部入力Ｉ／Ｆ２１によってチューナ２に入力され、ビデオプロセッサ／デコーダ２２において、所定の映像信号処理が行われ、また必要に応じてデコード処理が行われる。
ＨＤＭＩトランスミッタ２３は、ビデオプロセッサ２２で処理された映像信号をＨＤＭＩ形式のストリームに変換する。そして、ＨＤＭＩトランスミッタ２３は、ＨＤＭＩ形式の映像／音声ストリームを映像／音声パケットとして、ＨＤＭＩ Ｉ／Ｆ２６からＨＤＭＩケーブル６のＴＭＤＳラインによりモニター１へ送信する。
【００３７】
ＣＥＣライン２５は、ＨＤＭＩケーブル内のＣＥＣラインに接続し、モニター１との間でＣＥＣメッセージの双方向通信を可能とする。ＣＥＣライン２５によるＣＥＣメッセージの送受信の動作は、ＣＰＵ２４により制御され、ＣＥＣメッセージによってＨＤＭＩ接続された機器を制御することができる。ＣＥＣでは、ＨＤＭＩ接続された各機器の論理アドレス（機器の種別）と物理アドレス（機器の位置）が取得される。従って、送信側機器は、この論理アドレス（及び物理アドレス）を指定することで所望の機器にＣＥＣメッセージを送信することができ、また受信側機器は、このＣＥＣメッセージに付加された送信元の論理アドレス（及び物理アドレス）によって送信側機器を認識し、確認信号などを返信することができる。
【００３８】
モニター１は、ＨＤＭＩレシーバ１１と、ビデオプロセッサ１２と、ＬＣＤパネル１３と、ＣＰＵ１４と、受光部１６と、ＨＤＭＩ Ｉ／Ｆ１７とを備えている。またＣＰＵ１４とＨＤＭＩ Ｉ／Ｆ１７との間にはＣＥＣライン１５が接続される。ＣＰＵ１４は、各要素を制御している。
モニター１では、チューナ２から送出されたストリームをＨＤＭＩ Ｉ／Ｆ１７を介してＨＤＭＩレシーバで受信する。ＨＤＭＩレシーバ１１は、受信したストリームに対し映像処理を行い、また映像／音声の分離を行って、表示すべき映像信号をＬＣＤパネル１３に出力する。ＬＣＤパネル１３では、入力した映像信号に従って映像表示を行う。音声は図示しないスピーカから音声出力される。また、受光部１６は、リモコン１８からの赤外線信号を受信すると、その信号をＣＰＵ１４に送る。ここで、リモコン１８は本発明の操作入力手段に相当し、ＣＰＵ１４が本発明の制御手段に相当するものである。
【００３９】
図２の構成例を参照しながら、リモコン１８でボリューム／ミュートキーが操作されたときの処理例について説明する。この操作が、本発明における操作入力手段に対する所定の操作入力の一例に相当する。
リモコン１８でボリューム／ミュートキーが操作され、そのキー信号がモニター１の受光部１６で受信されると、受信信号はＣＰＵ１４に送られてデコードされる。そしてデコードされたボリューム／ミュートキー情報は、ＣＥＣメッセージとしてＣＥＣライン１５に送出され、ＨＤＭＩケーブル６のＣＥＣラインによりチューナ２に送られる。そしてチューナ２では、モニター１から送られたボリューム／ミュートキー情報は、ＣＥＣライン２５によりＣＰＵ２４に伝送され、ＣＰＵ２４でそのボリューム／ミュートキーを認識すると、チューナ２の音量制御を行い、さらにビデオプロセッサ２２を制御してＯＳＤを生成させる。
【００４０】
ビデオプロセッサ／デコーダ２２では、生成したＯＳＤを映像信号に重畳し、ＨＤＭＩトランスミッタ２３からＨＤＭＩ Ｉ／Ｆ２６を介してＨＤＭＩケーブル６のＴＭＤＳラインに送出する。そしてＯＳＤが重畳された映像信号は、モニター１のＨＤＭＩ Ｉ／Ｆ１７を介してＨＤＭＩレシーバ１１で受信され、ビデオプロセッサ１２で処理されてＬＣＤパネル１３で表示される。このときのＯＳＤ画面は、音量制御による音量情報をモニター１で表示させるもので、例えば、画面の左上に音量を数値化した情報を表示させるものである。
【００４１】
次に、上記のようなモニター１の構成で、チューナ２が接続されていないときの処理例を図２を参照しながら説明する。
リモコン１８でボリューム／ミュートキーが操作され、そのキー信号がモニター１の受光部１６で受信されると、受信信号はＣＰＵ１４に送られてデコードされる。そしてＣＰＵ１４では、デコードされたボリューム／ミュートキー情報に従って、モニターの音量制御を行う。さらにＣＰＵ１４は、ビデオプロセッサ１２を制御してＯＳＤを生成させる。ビデオプロセッサ１２では、生成したＯＳＤを映像信号に重畳し、ＬＣＤパネル１３に出力して表示させる。このときのＯＳＤ画面は、音量制御による音量情報をモニター１で表示させるもので、例えば、画面の左上に音量を数値化した情報を表示させるものである。
【００４２】
上記のように、モニター１では、モニター１用のリモコン１８からボリューム／ミュートキーの操作信号が送信された場合、チューナ２が接続されていれば、そのキー情報をＣＥＣメッセージによりチューナ２に送信することにより、チューナ２で音量制御及びＯＳＤの生成を行わせることができる。また、チューナ２が接続されていなければ、モニター１で音量制御を行うとともにＯＳＤを生成して表示させる。
【００４３】
図３は、本発明による表示装置でチューナを認証するときの制御の一例を説明するための図である。ここでは表示装置の一例であるモニターに対して、プレーヤ等のチューナではない機器が接続されているときの制御例を示している。
まず、モニターの電源がオン（Power On）されると（Ｓ１）、モニターではＣＥＣメッセージを発行して送信する（Ｓ２）。このときのＣＥＣメッセージは、チューナの論理アドレス（３，６，７，１０）に対して送信されるもので、対象の論理アドレスの機器がＡＣＫ（Acknowledgment）を返信するＣＥＣメッセージである。このＣＥＣメッセージとして、例えば、ＨＤＭＩ規格による〈Poling Message〉を使用することができる。あるいは、HDMI規格に基づくベンダーコマンドにより作成したものであってもよい。以下の例でも同様である。
これに対してプレーヤでは、自身宛のＣＥＣメッセージではないためこれを無視し、プレーヤからモニターに対しては何ら応答が帰ってこない。ここでプレーヤではなく、ＣＥＣメッセージの論理アドレスに該当するチューナが接続されていれば、そのＣＥＣメッセージに対するＡＣＫが返信される。
【００４４】
モニターでは、ここで送信したＣＥＣメッセージに対するＡＣＫを確認する処理を行い、ＡＣＫが帰ってこなければ、少なくとも目的とする論理アドレスのチューナは接続されていないことを認識する（Ｓ３）。この場合には、従来例のようにタイムアウト期間を設けることなく、チューナが未接続であると認識して制御を行う。以後、リモコンのボリューム／ミュート（Volume／Mute）キーがユーザにより操作され、リモコン信号を受信した場合は（Ｓ４）、モニターでは、音声処理と表示処理を行う（Ｓ５）。音声処理は、音量制御処理またはミュート処理であり、表示処理は、モニターに音量表示を行うためのＯＳＤ生成及び表示処理である。なお、ここにミュート処理はトグル動作を行うものであり、設定及び解除の双方を含むものとする。
【００４５】
上記のように、モニターで発行したＣＥＣメッセージに対しては、チューナが接続されていない場合にはモニターに応答が帰ってこない。このとき本発明に係る実施形態では、モニターでは、ＣＥＣメッセージに対して、ＡＣＫが返信されてきているかどうかを判別し、ＡＣＫが返信されなければ少なくともチューナが接続されていないものと判断して、モニター側単独による音声制御処理、及びＯＳＤ生成表示処理を行うようにする。ＡＣＫの返信までの時間は、ごく短時間（例えば数秒以内）に行われるため、長時間のタイムアウト期間（例えば１５秒）が満了するまでの間、ボリューム／ミュートキー操作に対するモニターでの音量制御・表示処理を行わないことによるユーザの混乱や品位の低下を回避することができる。
【００４６】
図４は、本発明による表示装置でチューナを認証するときの制御の他の例を説明するための図である。ここでは表示装置の一例であるモニターに対して、プレーヤ等のチューナではない機器が、電源オフ（Power Off）状態で接続されているときの制御例を示している。
まず、モニターの電源がオン（Power On）されると（Ｓ１１）、モニターではＣＥＣメッセージを発行して送信する（Ｓ１２）。このときのＣＥＣメッセージは、上述の例と同様にチューナの論理アドレス（３，６，７，１０）に対して送信されるもので、対象の論理アドレスの機器がＡＣＫを返信するＣＥＣメッセージである。
【００４７】
これに対してプレーヤでは、電源がオフ状態であるため、プレーヤからモニターに対しては何ら応答が帰ってこない。ここでプレーヤではなく、チューナが接続されていれば、そのＣＥＣメッセージに対するＡＣＫが返信される。ここで、プレーヤの電源がオフ状態であることは、ＣＥＣメッセージの送受信ができるスタンバイ状態、あるいはＣＥＣメッセージの送受信もできないオフ状態のいずれであってもよく、いずれの場合にもモニターに対してはＡＣＫは帰ってこない。
【００４８】
モニターでは、ここで送信したＣＥＣメッセージに対するＡＣＫを確認する処理を行い、ＡＣＫが帰ってこなければ、少なくともチューナは接続されていないことを認識する（Ｓ１３）。そしてモニターでは、無信号検出処理を行い、モニターのＨＤＭＩ入力端子に対して映像信号が入力していなことを確認すると（Ｓ１４）、無信号であることを警告する無信号警告表示を行う（Ｓ１５）。
【００４９】
上記のように、モニターで発行したチューナの論理アドレスを指定するＣＥＣメッセージに対して、チューナが接続されていない場合にはモニターに応答が帰ってこない。このとき本例では、モニターでは、ＣＥＣメッセージに対して、ＡＣＫが返信されてきているかどうかを判別し、ＡＣＫが返信されなければ少なくとも目的とするチューナが接続されていないものと判断し、その後無信号検出処理を行って、無信号警告表示を行うようにする。これにより、長時間のタイムアウト期間が満了するまでの間、無信号警告表示を行わないことによるユーザの混乱や品位の低下を回避することができる。
【００５０】
なお、本例では、ＣＥＣメッセージに対するＡＣＫの有無を判別して無信号検出を行っているが、図４に示すように、ＡＣＫが無いと判断した後にボリューム／ミュートキーが操作された場合には、モニター１にて上記のような音声処理及び表示処理を実行させるようにすることができる。
【００５１】
図５は、本発明による表示装置でチューナを認証するときの制御の他の例を説明するための図である。ここでは表示装置の一例であるモニターに対して、チューナが接続されているときの制御例を示している。
まず、モニターの電源がオン（Power On）されると（Ｓ２１）、モニターではＣＥＣメッセージを発行して送信する（Ｓ２２）。このときのＣＥＣメッセージは、上述の例と同様にチューナの論理アドレス（３，６，７，１０）に対して送信されるもので、対象の論理アドレスの機器がＡＣＫを返信するＣＥＣメッセージである。
【００５２】
これに対してチューナでは、自身の論理アドレスに対するＣＥＣメッセージであるため。これに対してＡＣＫを返信する（Ｓ２３）。モニターでは、チューナからのＡＣＫを受けて、目的とするチューナが接続されている可能性があるものと判断し、ＣＥＣによる認証開始メッセージを発行してチューナに対して送信する（Ｓ２５）。
【００５３】
このときモニターでは、タイムアウト期間（例えば１５ｓｅｃ）を設け、認証開始メッセージからの時間をカウントする。そしてタイムアウトになった時点でチューナが未接続であることを認識する。従ってタイムアウトまでの期間中にボリューム／ミュートキーが操作されても、モニターでの音量制御処理／表示処理は行わない。
ＣＥＣによる認証開始メッセージを受信したチューナでは、自身の起動処理を開始し（Ｓ２６）、これに伴ってＣＥＣによる認証開始メッセージ応答をモニターに送信する（Ｓ２７）。
【００５４】
認証開始メッセージに対する応答を受け取ったモニターは、チューナが接続されていることを認識する（Ｓ２８）。そしてこの後、リモコンのボリューム／ミュート（Volume／Mute）キーがユーザにより操作され、リモコン信号を受信すると（Ｓ２９）、ＣＥＣメッセージによりボリューム／ミュートキーのキー信号をチューナに送信する（Ｓ３０）。チューナでは、このＣＥＣメッセージに従って、音声処理と表示処理を行う（Ｓ３１）。音声処理は、音量調整処理またはミュート処理であり、表示処理は、モニターで音量表示を行うためのＯＳＤ生成処理である。
【００５５】
上記各制御例に示したように、本発明に係る実施形態では、モニターは、所定のＣＥＣメッセージに対して、ＡＣＫが返信されてきているかどうかを判別し、ＡＣＫが返信されてくれば、チューナが接続されていることを判断する。そして、この時点から従来とおりのタイムアウトのカウントを開始して認証開始メッセージを発行し、認証が確立した後、ボリューム／ミュートキーの操作を有効にする。ＡＣＫが返信されてこなければ、少なくともチューナは接続されていないものと判断し、タイムアウトを設けることなく、モニターによる音声処理及び表示処理を実行する。また無信号検出を行う場合にも、ＡＣＫが返信されてこないことを確認した後、無信号検出を行うことで、短時間に無信号の警告表示を行うことができるようになる。
これにより、表示装置を使用するユーザの混乱を低減するとともに、表示装置の品位を高めることができる。
なお、本発明の所定の操作入力として、ボリューム／ミュートキーの操作を例に説明したが、モニターとそのモニターに接続されるチューナに共通の操作に適用できることはいうまでもない。
【図面の簡単な説明】
【００５６】
【図１】本発明による表示装置を使用したシステム構成例を説明するため図である。
【図２】表示装置の一実施形態であるモニターと、そのモニターに接続されるチューナの要部の機能を説明するためのブロック図である。
【図３】本発明による表示装置でチューナを認証するときの制御の一例を説明するための図である。
【図４】本発明による表示装置でチューナを認証するときの制御の他の例を説明するための図である。
【図５】本発明による表示装置でチューナを認証するときの制御の他の例を説明するための図である。
【図６】従来の表示装置でチューナを認証するときの制御の一例を説明するための図である。
【図７】従来の表示装置の制御の他の例を説明するための図である。
【図８】従来の表示装置の制御の更に他の例を説明するための図である。
【図９】従来の表示装置の制御の更に他の例を説明するための図である。
【符号の説明】
【００５７】
１…モニター、２…チューナ、３，４…外部機器、５…アンテナ、６…ＨＤＭＩケーブル、１１…ＨＤＭＩレシーバ、１２…ビデオプロセッサ、１３…ＬＣＤパネル、１４…ＣＰＵ、１５…ＣＥＣライン、１６…受光部、１７…ＨＤＭＩ Ｉ／Ｆ、１８…リモコン、２１…外部入力Ｉ／Ｆ、２２…ビデオプロセッサ／デコーダ、２３…ＨＤＭＩトランスミッタ、２４…ＣＰＵ、２５…ＣＥＣライン、２６…ＨＤＭＩ Ｉ／Ｆ。
【図１】
2010041203.tif 000003
【図２】
2010041203.tif 000004
【図３】
2010041203.tif 000005
【図４】
2010041203.tif 000006
【図５】
2010041203.tif 000007
【図６】
2010041203.tif 000008
【図７】
2010041203.tif 000009
【図８】
2010041203.tif 000010
【図９】
2010041203.tif 000011